(57)【要約】【課題】光ファイバテープ心線の端末部分は無論として中間部分であっても迅速、容易に光ファイバ心線を露出させることができるようにする。【解決手段】光ファイバテープ心線１９のテープ被覆２１表面に、光ファイバ素線２３を露出させる除去領域にわたって剥ぎ取り易いように引かかり抵抗となる微細な凹凸部２５を作る。一方、凹凸領域の一方の端に剥離刃部９と刃部受部１１とによって上下から挟みつけ、挟みつけた状態のまま凹凸領域の他方の端部へ向けて移動させる剥離動作を１回以上繰返してテープ被覆２１を剥ぎ取り光ファイバ素線２３を露出させる。【選択図】図１
2006171098.tif 000002
【特許請求の範囲】
【請求項１】
光ファイバ素線を複数本並列させ、その回りにテープ状に被覆を施した光ファイバテープ心線の前記テープ被覆表面に、前記テープ被覆を除去する除去領域にわたって微細な凹凸部を作り、その凹凸領域の一方の端部を剥離刃部と刃部受部とによって上下から挟みつけ、挟みつけた状態のまま凹凸領域の他方の端部へ向けて移動させる剥離動作を１回以上繰返して凹凸領域のテープ被覆を剥ぎ取ることを特徴とする光ファイバテープ心線のテープ被覆除去方法。
【請求項２】
前記光ファイバテープ心線のテープ被覆表面に作る凹凸領域の表面粗さを、０．３μｍ以上にすることを特徴とする請求項１記載の光ファイバテープ心線のテープ被覆除去方法。
【請求項３】
請求項１及び２記載の光ファイバテープ心線のテープ被覆除去方法に用いられるテープ被覆除去装置であって、ヒンジを支点として上下に回動可能な上部回動把手部及び下部回動把手部と、前記上部回動把手部に設けられた剥離刃部と、前記下部回動把手部に設けられ、前記剥離刃部と対向し合う刃部受部と、前記上部回動把手部及び下部回動把手部の回動位置を規制し、前記刃部受部の受面に対して剥離刃部の刃先部を位置決めするストッパ部材とを有し、前記剥離刃部は、その刃先部が幅の狭い水平面となっていることを特徴とするテープ被覆除去装置。
【請求項４】
前記剥離刃部の刃先部の水平面は、０．５〜２ｍｍ幅に作られていることを特徴とする請求項３記載のテープ被覆除去装置。
【請求項５】
前記刃部受部の受面は、平らな水平面又は凹部溝となっていることを特徴とする請求項３記載のテープ被覆除去装置。
【発明の詳細な説明】
【技術分野】
【０００１】
本発明は、光ファイバテープ心線のテープ被覆除去方法及びそのテープ被覆除去装置に関する。
【背景技術】
【０００２】
従来、テープ被覆によって光ファイバ素線が被覆された光ファイバテープ心線において、その表面のテープ被覆を取除き光ファイバ素線を露出させる代表例として例えば、２つの手段が知られている。
【０００３】
１つは、光ファイバ素線のテープ被覆の表面に刃物によってファイバ素線に沿って切込み溝を入れ、その切込み溝に沿って各テープ被覆付ファイバ素線に分離した後、分離した各テープ被覆を剥ぎ取ることで光ファイバ素線を露出させる手段となっている（例えば、特許文献１参照）。
【０００４】
他の一つは、初期工程において、光ファイバテープ心線の片端末部のテープ被覆を剥ぎ取って各光ファイバ素線を露出分離させた後、その露出部分をブラシに挿入してブラシの毛を各光ファイバ素線の間に割り込ませ、そのままブラシを移動させて、各テープ被覆付き光ファイバ素線に分離する。続いて、分離した各テープ被覆部位をブラシの毛に引っ掛けて先端側から剥ぎ取ることで、初期工程で露出した部分に加えて光ファイバ素線を大きく露出させる手段となっている（例えば、特許文献２参照）。
【特許文献１】特開平７−１１３９１５号公報
【特許文献２】特開２００１−６９６３１号公報
【発明の開示】
【発明が解決しようとする課題】
【０００５】
前記したように光ファイバ素線を露出させる手段として、刃物を用いる手段とブラシを用いる手段があるが、前者の刃物を用いる手段は刃物を使用する関係上、光ファイバ素線に損傷を与える恐れがあり、場合によっては光ファイバとして使用不能となる。また、光ファイバ素線に損傷を与えないよう細心の注意が要求され、作業に神経を使うことと、刃先によって切込み溝を入れた後、その切込み溝に沿って分離させる分離手段が必要となるため構造が複雑化する等作業性及びコストの面でも望ましくない。
【０００６】
一方、後者のブラシを用いる手段にあっては、端からブラシの毛を通すために予め光ファイバ素線の端末部を露出させる初期工程を必要とする。このため、光ファイバテープ心線の片側端末部分を露出させる手段としてはよいが、中間部分の光ファイバ素線を露出させる手段としてはむいていない。
【０００７】
そこで、本発明は光ファイバテープ心線が非常に薄いフィルム状に形成されていることに着目してなされたもので、光ファイバテープ心線の端末部分は無論として中間部分であっても容易に光ファイバ素線を露出させることができる光ファイバテープ心線のテープ被覆除去方法及びそのテープ被覆除去装置を提供することを目的としている。
【課題を解決するための手段】
【０００８】
前記目的を達成するために、本発明の光ファイバテープ心線のテープ被覆除去方法にあっては、光ファイバ素線を複数本並列させ、その回りにテープ状に被覆を施した光ファイバテープ心線の前記テープ被覆表面に、前記テープ被覆を除去する除去領域にわたって微細な凹凸部を作り、その凹凸領域の一方の端部を剥離刃部と刃部受部とによって上下から挟みつけ、挟みつけた状態のまま凹凸領域の他方の端部へ向けて移動させる剥離動作を１回以上繰返して凹凸領域のテープ被覆を剥ぎ取ることを特徴とする。
【０００９】
また、本発明の光ファイバテープ心線のテープ被覆除去方法に用いられるテープ被覆除去装置にあっては、ヒンジを支点として上下に回動可能な上部回動把手部及び下部回動把手部と、前記上部回動把手部に設けられた剥離刃部と、前記下部回動把手部に設けられ、前記剥離刃部と対向し合う刃部受部と、前記上部回動把手部及び下部回動把手部の回動位置を規制し、前記刃部受部の受面に対して剥離刃部の刃先部を位置決めするストッパ部材とを有し、前記剥離刃部は、その刃先部が幅の狭い水平面となっていることを特徴とする。
【発明の効果】
【００１０】
本発明の光ファイバ素線のテープ被覆除去方法によれば、剥離刃部と刃部受部とによって剥離動作を１回以上繰返してテープ被覆を剥ぎ取る際に、その剥ぎ取る領域にわたって引かかり抵抗となる微細な凹凸部を作ることができるため、その微細な凹凸部によって光ファイバテープ心線の片側端末部は無論として、中間部分であっても容易にテープ被覆を剥ぎ取ることができる。
【００１１】
一方、テープ被覆除去装置によれば、剥離刃部は、水平面となっているため、刃部受部とで光ファイバテープ心線を上下から強く挟みつけても、光ファイバ素線に何等損傷等を与えることがなくなると共に、手で持てる簡単な構造にできる。
【発明を実施するための最良の形態】
【００１２】
第１には、前記光ファイバテープ心線のテープ被覆表面に作る微細な凹凸領域の表面粗さを０．３μｍ以上として、剥離刃部と刃部受部とによる剥離動作時に、確実な引かかり抵抗が確保されるようにする。
【００１３】
第２には、前記剥離刃部の刃先部の水平面を、０．５〜２ｍｍ幅に作り、剥離作用と光ファイバ素線に損傷を与えることがないよう両立を図った形状とする。
【００１４】
第３には、前記刃部受部の受面を、平らな水平面又は凹部溝として、単純な剥離受面形状とする。
【実施例】
【００１５】
以下、図１乃至図６の図面を参照しながら本発明にかかるテープ被覆除去装置の実施形態について具体的に説明する。
【００１６】
図１はテープ被覆除去装置１の動作前の概要側面図、図２は動作時の概要側面図、図３は図２のＡ−Ａ線切断面図をそれぞれに示している。
【００１７】
テープ被覆除去装置１は、ヒンジ３を支点として上下に回動可能な上部回動把手部５及び下部回動把手部７と、前記上部回動把手部５に設けられた剥離刃部９と、前記下部回動把手部７に設けられ、前記剥離刃部９と対向し合う刃部受部１１と、前記上部回動把手部５及び下部回動把手部７の回動位置を規制し、前記刃部受部１１の受面１３に対して剥離刃部９の刃先部１５を位置決めするストッパ部材１７とから成っている。
【００１８】
上部回動把手部５及び下部回動把手部７は、片手で持てる大きさに形成され、一方の端部に設けられた前記ヒンジ３を支点として上下に回動可能となっていて、前記ヒンジ３に設けられた付勢ばね１８によって図１に示すように上下に開いた動作前の状態に常時確保されるようになっている。
【００１９】
上部回動把手部５に設けられた剥離刃部９は、図３に示すように断面下向き山形状に形成され、先端の刃先部１５は水平面となっている。刃先部１５の水平面は０．５〜２ｍｍ幅に作られている。この寸法の刃先部１５は、図５に示す光ファイバテープ心線１９のテープ被覆２１を剥ぎ取る剥ぎ取り作用と、前記刃部受部１１とで上下から強くテープ被覆２１を挟みつけた時に内部の光ファイバ素線２３に損傷を与えることのないよう両立を図った幅となっている。
【００２０】
下部回動把手部７に設けられた刃部受部１１の受面１３は、図３に示すように凹部溝となっている。
【００２１】
受面１３の凹部溝幅ｄは、水平面となる前記刃先部１５の幅＋１〜５ｍｍの溝幅で深さは３００μｍ以下、１ｍｍ以上となっていて、動作時に、剥離刃部９の刃先部１５によって光ファイバテープ心線１９が溝幅に沿って湾曲することで、剥離刃部９の刃先部１５が光ファイバテープ心線１９の表面に確実に引かかり作用が働くようになっている。
【００２２】
この場合、刃部受部１１の受面１３は、図４に示すように水平面の形状であってもよい。この実施形態の場合には、引かかり抵抗が大きくなるように剥離刃部９の刃先部１５の表面粗さは１．０〜１０．０μｍ、刃部受部１１の受面１３の表面粗さは１〜１０．０μｍとなっている。さらに、刃部受部１１の受面１３と剥離刃部９の刃先部１５とは１５０〜３００μｍの隙間が確保されていることが望ましい。これにより、水平な受面１３によって複数個並列された光ファイバ素線２３を被覆するテープ被覆２１に対して剥離刃部９はほぼ全領域にわたり切一に作用することが可能となる。
【００２３】
一方、ストッパ部材１７は、上部回動把手部５に設けられた前後一対のストッパ突起部１７ａと下部回動把手部７に設けられた前後一対のストッパ受部１７ｂとで構成され、ストッパ突起部１７ａとストッパ受部１７ｂとの当接時に、剥離刃部９の刃先部１５が刃部受部１１の受面１３となる凹部溝上面に位置決めされるようになっている。
【００２４】
なお、刃部受部１１の受面１３が水平面の場合には、図示していないがそれ専用に作られたテープ被覆除去装置のストッパ部材によって前記した１５０〜３００μｍの隙間に制御管理されるようになっている。
【００２５】
次に、テープ被覆除去装置１を用いて、例えば、図５に示す光ファイバテープ心線１９のテープ被覆２１を剥ぎ取り光ファイバ素線２３を露出させるテープ被覆除去方法について説明する。
【００２６】
その前に、光ファイバテープ心線１９について説明すると、２５０μｍ径の光ファイバ心線２３が４列に配列され、その各光ファイバ素線２３の回りをＵＶ樹脂等によってテープ状に０．３２ｍｍの被覆を施したテープ被覆２１とにより形成され、幅ｔは約１．１ｍｍ、テープ厚さは０．３４ｍｍとなっている。
【００２７】
このように形成された光ファイバテープ心線１９の光ファイバ素線２３を露出させるには、露出させる領域、例えば、図示の如く中間部分にわたってテープ被覆２１の表面に微細な凹凸部２５を作る。この微細な凹凸部２５を作る最も好ましい手段としては、例えば、２００〜１０００番のサンドペーパを用いてテープ被覆２１の表面を一回以上こすることで、希望する表面粗さ、０．３μｍ以上の微細な凹凸領域が得られるようになる。
【００２８】
０．３μｍ以上の凹凸部２５は、実験の結果だいたい１００ｇの力を加えることで確保されることが判明しているところから工具等の手段を用いると便利である。
【００２９】
０．３μｍ以上の凹凸にする理由は、光ファイバ素線２３とテープ被覆２１は程よい密着を保っているだけなので、一度剥すとその部位から繊維状に剥れていく性状を有し、その剥すための引掛かりを作る凹凸が０．３μｍ以上となっている。この値はテープ被覆２１の表面粗さをそれぞれ作り、検証した結果から求められたものである。
【００３０】
なお、微細な凹凸部２５を作る手段としては、サンドペーパーを用いる外に例えば、剥離する領域内を溶剤に数秒浸すようにしてもよい。あるいは、水酸化マグネシウム「Ｍｇ(ＯＨ)2 」や水酸化アルミウム「Ａｌ(ＯＨ)3」など難燃材を含む紫外線硬化樹脂を用いてテープ被覆材を作るようにしてもよい。または、テープ化時に、酸素濃度を０．１〜１．０％程度加えた雰囲気でテープ被覆材となるＵＶ樹脂を硬化させてその表面に積極的に表面粗さを作るようにしてもよく、現場に見合った実施形態とすることが望ましい。
【００３１】
次に、微細な凹凸部２５が作られた一方の端部に図５に示すようにテープ剥離除去装置１の剥離刃部９と刃部受部１１とによって上下から挟みつけた後、凹凸部２５の領域にわたって矢印のように剥離動作を１回から数回繰返すことで、凹凸部２５による引かかり抵抗と相俟って図６に示すように無理なく容易に光ファイバ素線２３を露出させることができる。
【００３２】
この場合、剥離刃部９の刃先部１５は水平面となっているため、剥離動作時に内部の光ファイバ素線２３に損傷を与えることなくテープ被覆２１を剥ぎ取ることができる。
【００３３】
したがって、前記した光ファイバテープ心線１９の中間部分を始めとして図示していないが片側端末部であっても容易、迅速に光ファイバ素線２３を露出させることが可能となる。
【図面の簡単な説明】
【００３４】
【図１】本発明にかかる被覆除去装置の動作前の概要側面図。
【図２】テープ被覆除去装置の動作時の概要側面図。
【図３】図２のＡ−Ａ線断面図。
【図４】刃部受部の別の実施形態を示した図３と同様の断面図。
【図５】光ファイバテープ心線の被覆の剥離動作説明図。
【図６】光ファイバテープ心線の中間部分の光ファイバ素線が露出した状態の概要説明図。
【符号の説明】
【００３５】
３    ヒンジ
５    上部回動把手部
７    下部回動把手部
９    剥離刃部
１１    刃部受部
１３    刃部受部の受面
１５    剥離刃部の刃先部
１７    ストッパ部材
１７ａ    ストッパ突起部
１７ｂ    ストッパ受部
１９    光ファイバテープ心線
２１    テープ被覆
２３    光ファイバ素線
【図１】
2006171098.tif 000003
【図２】
2006171098.tif 000004
【図３】
2006171098.tif 000005
【図４】
2006171098.tif 000006
【図５】
2006171098.tif 000007
【図６】
2006171098.tif 000008